(57)【要約】【課題】接点部と相手接点部との接触部分の酸化皮膜を除去でき、接触信頼性を向上することができる端子を提供する。【解決手段】相手接点部材３の相手接点部５に接触されて導通される接点部７と、この接点部７と一体に設けられ接点部７と相手接点部５との接触に付勢力を付与するバネ部と、接点部７とバネ部とを収容し接点部７と相手接点部５との接触における接点部７の移動を案内する収容部１１とを備えた端子１において、接点部７と収容部１１とに、接点部７と相手接点部５との接触の際に接点部７と相手接点部５とを摺動させる摺動手段１３を設けた。【選択図】図１
2013045547.tif 000002
【特許請求の範囲】
【請求項１】
相手接点部材の相手接点部に接触されて導通される接点部と、この接点部と一体に設けられ前記接点部と前記相手接点部との接触に付勢力を付与するバネ部と、前記接点部と前記バネ部とを収容し前記接点部と前記相手接点部との接触における前記接点部の移動を案内する収容部とを備えた端子であって、
前記接点部と前記収容部とには、前記接点部と前記相手接点部との接触の際に前記接点部と前記相手接点部とを摺動させる摺動手段が設けられていることを特徴とする端子。
【請求項２】
請求項１記載の端子であって、
前記摺動手段は、前記接点部と前記相手接点部との接触の際に前記接点部の移動によって前記接点部を回転させる回転手段であることを特徴とする端子。
【請求項３】
請求項２記載の端子であって、
前記回転手段は、前記接点部に設けられた凸部と、前記収容部に設けられ前記凸部と係合する回転ガイド溝とからなることを特徴とする端子。
【請求項４】
請求項３記載の端子であって、
前記凸部は、前記接点部の移動方向と直交する方向に突出する一対の突出部からなり、回転ガイド溝は、前記接点部の移動方向に対して対称に傾斜された一対の傾斜溝からなることを特徴とする端子。
【発明の詳細な説明】
【技術分野】
【０００１】
本発明は、端子に関する。
【背景技術】
【０００２】
従来、端子としては、相手接点部材としての雌部材の相手接点部としての接触子に接触されて導通される接点部としての接触子と、この接触子と一体に設けられ接触子同士の接触に付勢力を付与するバネ部としての波形タブと、接触子と波形タブとを収容し接触子同士の接触における接触子の移動を案内する収容部としての本体とを備えたものが知られている（例えば、特許文献１参照）。
【０００３】
この端子では、接触子同士が波形タブの付勢力によって弾性的に接触され、相手接点部材と端子とが電気的に接続される。
【先行技術文献】
【特許文献】
【０００４】
【特許文献１】特開２０１０−３３９７８号公報
【発明の概要】
【発明が解決しようとする課題】
【０００５】
しかしながら、上記のような端子では、接点部と相手接点部とがバネ部の付勢力によって接触されているだけであるので、接点部と相手接点部とが接触する接触部分に酸化皮膜が形成されている場合、接触部分の酸化皮膜が除去されず、接触信頼性が低下する恐れがあった。
【０００６】
そこで、この発明は、接点部と相手接点部との接触部分の酸化皮膜を除去でき、接触信頼性を向上することができる端子の提供を目的としている。
【課題を解決するための手段】
【０００７】
請求項１記載の発明は、相手接点部材の相手接点部に接触されて導通される接点部と、この接点部と一体に設けられ前記接点部と前記相手接点部との接触に付勢力を付与するバネ部と、前記接点部と前記バネ部とを収容し前記接点部と前記相手接点部との接触における前記接点部の移動を案内する収容部とを備えた端子であって、前記接点部と前記収容部とには、前記接点部と前記相手接点部との接触の際に前記接点部と前記相手接点部とを摺動させる摺動手段が設けられていることを特徴とする。
【０００８】
この端子では、接点部と収容部とに、接点部と相手接点部との接触の際に接点部と相手接点部とを摺動させる摺動手段が設けられているので、接点部と相手接点部との接触の際に、接点部と相手接点部とが摺動して接触部分の酸化皮膜を除去することができる。
【０００９】
従って、このような端子では、摺動手段によって接点部と相手接点部との接触部分の酸化皮膜を除去でき、接触信頼性を向上することができる。
【００１０】
請求項２記載の発明は、請求項１記載の端子であって、前記摺動手段は、前記接点部と前記相手接点部との接触の際に前記接点部の移動によって前記接点部を回転させる回転手段であることを特徴とする。
【００１１】
この端子では、摺動手段が接点部と相手接点部との接触の際に接点部の移動によって接点部を回転させる回転手段であるので、接点部が収容部の幅方向に振動するような移動を伴うことがなく、収容部の大型化を抑制することができる。
【００１２】
請求項３記載の発明は、請求項２記載の端子であって、前記回転手段は、前記接点部に設けられた凸部と、前記収容部に設けられ前記凸部と係合する回転ガイド溝とからなることを特徴とする。
【００１３】
この端子では、回転手段が接点部に設けられた凸部と、収容部に設けられ凸部と係合する回転ガイド溝とからなるので、凸部と回転ガイド溝とを係合させることによって、接点部と相手接点部との接触の際に接点部を回転させることができ、簡易な構造で接触部分の酸化皮膜を除去することができる。
【００１４】
請求項４記載の発明は、請求項３記載の端子であって、前記凸部は、前記接点部の移動方向と直交する方向に突出する一対の突出部からなり、回転ガイド溝は、前記接点部の移動方向に対して対称に傾斜された一対の傾斜溝からなることを特徴とする。
【００１５】
この端子では、凸部が接点部の移動方向と直交する方向に突出する一対の突出部からなり、回転ガイド溝が接点部の移動方向に対して対称に傾斜された一対の傾斜溝からなるので、接点部と相手接点部との接触の際に、接点部の移動による接点部の回転を安定化させることができる。
【発明の効果】
【００１６】
本発明によれば、接点部と相手接点部との接触部分の酸化皮膜を除去でき、接触信頼性を向上することができる端子を提供することができるという効果を奏する。
【図面の簡単な説明】
【００１７】
【図１】本発明の実施の形態に係る端子と基板とを導通させるときの斜視図である。
【図２】本発明の実施の形態に係る端子の斜視図である。
【図３】本発明の実施の形態に係る端子の収容部の側面図及び正面図である。
【図４】本発明の実施の形態に係る端子の分解斜視図である。
【図５】本発明の実施の形態に係る端子の接点部の斜視図である。
【図６】本発明の実施の形態に係る端子の収容部の斜視図である。
【図７】（ａ）は本発明の実施の形態に係る端子と基板との導通開始時の斜視図である。（ｂ）は本発明の実施の形態に係る端子と基板との導通途中の斜視図である。（ｃ）は本発明の実施の形態に係る端子と基板との導通完了時の斜視図である。
【図８】（ａ）は本発明の実施の形態に係る端子と基板との導通開始時の断面図である。（ｂ）は本発明の実施の形態に係る端子と基板との導通途中の断面図である。（ｃ）は本発明の実施の形態に係る端子と基板との導通完了時の断面図である。
【図９】（ａ）は本発明の実施の形態に係る端子と基板との導通開始時の側面図及び要部拡大図である。（ｂ）は本発明の実施の形態に係る端子と基板との導通途中の側面図及び要部拡大図である。（ｃ）は本発明の実施の形態に係る端子と基板との導通完了時の側面図及び要部拡大図である。
【図１０】（ａ）は本発明の実施の形態に係る端子と基板との導通開始時の下面図である。（ｂ）は本発明の実施の形態に係る端子と基板との導通途中の下面図である。（ｃ）は本発明の実施の形態に係る端子と基板との導通完了時の下面図である。
【図１１】（ａ）は本発明の実施の形態に係る端子と基板との導通開始時の断面図である。（ｂ）は本発明の実施の形態に係る端子と基板との導通途中の断面図である。（ｃ）は本発明の実施の形態に係る端子と基板との導通完了時の断面図である。
【発明を実施するための形態】
【００１８】
図１〜図１１を用いて本発明の実施の形態に係る端子について説明する。
【００１９】
本実施の形態に係る端子１は、相手接点部材としての基板３の相手接点部５に接触されて導通される接点部７と、この接点部７と一体に設けられ接点部７と相手接点部５との接触に付勢力を付与するバネ部９と、接点部７とバネ部９とを収容し接点部７と相手接点部５との接触における接点部７の移動を案内する収容部１１とを備えている。
【００２０】
そして、接点部７と収容部１１とには、接点部７と相手接点部５との接触の際に接点部７と相手接点部５とを摺動させる摺動手段１３が設けられている。
【００２１】
また、摺動手段１３は、接点部７と相手接点部５との接触の際に接点部７の移動によって接点部７を回転させる回転手段１５である。
【００２２】
さらに、回転手段１５は、接点部７に設けられた凸部１７と、収容部１１に設けられ凸部１７と係合する回転ガイド溝１９とからなる。
【００２３】
また、凸部１７は、接点部７の移動方向と直交する方向に突出する一対の突出部２１，２３からなり、回転ガイド溝１９は、接点部７の移動方向に対して対称に傾斜された一対の傾斜溝２５，２７からなる。
【００２４】
図１〜図１１に示すように、端子１は、一対の側板からなる導体加締め部２９及び被覆加締め部３１を備え、被覆が剥がされて導体が露出された被覆電線（不図示）の端末に導体加締め部２９と被覆加締め部３１とが加締められ、端子１と被覆電線とが電気的に接続される。この端子１は、接点部７と、バネ部９と、収容部１１とを備えている。
【００２５】
接点部７は、棒状に形成され、一端側が基板３の相手接点部５に接触されて導通される接点となっている。この接点部７の中央部には、環状部３３が一体に設けられ、接点部７の他端側にバネ部９が挿通されて環状部３３と当接することによってバネ部９が位置決めされる。
【００２６】
バネ部９は、巻きバネからなり、一端側が接点部７の環状部３３に当接され、他端側が収容部１１の内壁に当接される。このバネ部９は、接点部７が相手接点部５と接触する際に、接点部７を相手接点部５側に付勢する付勢力を付与する。このような接点部７とバネ部９とは、収容部１１内に収容される。
【００２７】
収容部１１は、角筒状に形成され、接点部の環状部３３から他端側までとバネ部９とを内部に収容し、接点部７の一端側を開口から外部に露出させる。この収容部１１に接点部７が収容された状態では、バネ部９の付勢力によって接点部７の環状部３３が収容部１１の開口側の内壁に当接し、接点部７の一端側が収容部１１の外部に露出されている。この状態で、端子１を基板３の相手接点部５に対して垂直に降下させることにより、接点部７の一端が相手接点部５と接触し、バネ部９の付勢力によって接点部７と相手接点部５とが弾性的に接続され、基板３と端子１とが電気的に接続される。
【００２８】
このような接点部７と相手接点部５とは、表面に酸化皮膜が形成されることがある。この酸化皮膜が形成された状態で、接点部７と相手接点部５とを接触させてしまうと、接点部７と相手接点部５との接触部分で導通が不十分となる可能性がある。そこで、接点部７と収容部１１とには、酸化皮膜を除去するために摺動手段１３が設けられている。
【００２９】
摺動手段１３は、接点部７と相手接点部５との接触の際に、接点部７と相手接点部５との接触部分で接点部７を相手接点部５に対して摺動させる。詳細には、摺動手段１３は、接点部７と相手接点部５との接触の際に、接点部７の移動によって接点部７を回転させる回転手段１５となっている。
【００３０】
回転手段１５は、接点部７に設けられた凸部１７と、収容部１１に設けられ凸部１７と係合する回転ガイド溝１９とからなる。凸部１７は、接点部７の環状部３３に設けられ、接点部７の移動方向と直交する方向に突出する一対の突出部２１，２３となっている。この一対の突出部２１，２３は、回転ガイド溝１９に係合される。
【００３１】
回転ガイド溝１９は、図３で示すような接点部７の移動方向の中心線Ｌに対して対称に傾斜された一対の傾斜溝２５，２７となっている。詳細には、傾斜溝２５は、収容部１１の開口から内部側に向けて上り傾斜となっており、傾斜溝２７は、収容部１１の開口から内部側に向けて下り傾斜となっている。この一対の傾斜溝２５，２７は、それぞれ一対の突出部２１，２３に係合される。この一対の突出部２１，２３と一対の傾斜溝２５，２７とが係合した状態で、接点部７と相手接点部５とを接触させると、接点部７が収容部１１の内部側に移動する。このとき、一対の突出部２１，２３がそれぞれ一対の傾斜溝２５，２７に沿って移動され、接点部７が移動方向の軸心回りを回転される。
【００３２】
この接点部７の回転により、接点部７と相手接点部５との接触部分で摺動が発生し、接点部７及び相手接点部５の表面に形成された酸化皮膜が除去される。この酸化皮膜の除去により、接点部７と相手接点部５との接触部分で新生面同士が接触され、接触信頼性を向上することができる。
【００３３】
このように構成された端子１では、図７〜図１１に示すように、まず、収容部１１内に接点部７とバネ部９とを収容し、接点部７を収容部１１内における初期位置に配置させる。このとき、一対の突出部２１，２３は、一対の傾斜溝２５，２７の開口側に位置される。
【００３４】
次に、端子１を基板３の相手接点部５に対して垂直に降下させ、接点部７と相手接点部５とを接触させる。このとき、接点部７は、バネ部９の付勢力に抗して収容部１１の内部側に移動され、一対の突出部２１，２３が一対の傾斜溝２５，２７に沿って移動し、接点部７が回転される。この接点部７の回転により、接点部７及び相手接点部５の表面に形成された酸化皮膜が除去される。
【００３５】
そして、端子１を基板３に対してさらに降下させることにより、一対の突出部２１，２３が一対の傾斜溝２５，２７の底部に位置され、端子１と基板３との電気的接続を完了する。
【００３６】
このような端子１では、接点部７と収容部１１とに、接点部７と相手接点部５との接触の際に接点部７と相手接点部５とを摺動させる摺動手段１３が設けられているので、接点部７と相手接点部５との接触の際に、接点部７と相手接点部５とが摺動して接触部分の酸化皮膜を除去することができる。
【００３７】
従って、このような端子１では、摺動手段１３によって接点部７と相手接点部５との接触部分の酸化皮膜を除去でき、接触信頼性を向上することができる。
【００３８】
また、摺動手段１３は、接点部７と相手接点部５との接触の際に接点部７の移動によって接点部７を回転させる回転手段１５であるので、接点部７が収容部１１の幅方向に振動するような移動を伴うことがなく、収容部１１の大型化を抑制することができる。
【００３９】
さらに、回転手段１５は、接点部７に設けられた凸部１７と、収容部１１に設けられ凸部１７と係合する回転ガイド溝１９とからなるので、凸部１７と回転ガイド溝１９とを係合させることによって、接点部７と相手接点部５との接触の際に接点部７を回転させることができ、簡易な構造で接触部分の酸化皮膜を除去することができる。
【００４０】
また、凸部１７は、接点部７の移動方向と直交する方向に突出する一対の突出部２１，２３からなり、回転ガイド溝１９は、接点部７の移動方向に対して対称に傾斜された一対の傾斜溝２５，２７からなるので、接点部７と相手接点部５との接触の際に、接点部７の移動による接点部７の回転を安定化させることができる。
【００４１】
なお、本発明の実施の形態に係る端子では、相手接点部材が基板となっているが、これに限らず、相手接点部材は相手端子など端子と導通するものであれば、どのような形態であってもよい。
【００４２】
また、摺動手段が接点部を回転させる回転手段となっているが、これに限らず、例えば、接点部の移動によって接点部を接触部分で振動させるような振動手段であってもよい。この場合には、回転ガイド溝を波形に形成させ、この波形の溝に凸部を係合させればよい。
【００４３】
さらに、凸部が一対の突出部からなり、回転ガイド溝が一対の傾斜溝となっているが、これに限らず、例えば、凸部を１つの突出部とし、回転ガイド溝を収容部の周方向に螺旋状に設けてもよい。このような回転手段であっても、接点部の移動によって接点部を回転させることができる。
【符号の説明】
【００４４】
１…端子
３…基板
５…相手接点部
７…接点部
９…バネ部
１１…収容部
１３…摺動手段
１５…回転手段
１７…凸部
１９…回転ガイド溝
２１，２３…一対の突出部
２５，２７…一対の傾斜溝
【図１】
2013045547.tif 000003
【図２】
2013045547.tif 000004
【図３】
2013045547.tif 000005
【図４】
2013045547.tif 000006
【図５】
2013045547.tif 000007
【図６】
2013045547.tif 000008
【図７】
2013045547.tif 000009
【図８】
2013045547.tif 000010
【図９】
2013045547.tif 000011
【図１０】
2013045547.tif 000012
【図１１】
2013045547.tif 000013